(57)【特許請求の範囲】
【請求項１】
行政機関が提供する行政制度に関わる情報を掲載したウェブページを擁するウェブサイトへアクセスする閲覧者を識別するユーザＩＤを発行するユーザＩＤ発行システムであって、
前記行政機関が提供する各種の行政制度に関わる情報を、行政制度毎に付与される制度識別子と共に格納した行政制度情報データベースと、
前記ウェブページを擁するウェブサイトへのアクセスを検知すると、当該アクセスを行う閲覧者にユーザＩＤの入力を促し、当該閲覧者がユーザＩＤを入力しない場合には、前記行政制度情報データベースの情報を基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に所定の処理を施すことによって生成した文字列をユーザＩＤとして発行し、当該閲覧者の情報端末へ通知する情報処理部と、を備える、
ユーザＩＤ発行システム。
【請求項２】
行政機関が提供する行政制度に関わる情報を掲載したウェブページを自動生成する行政制度情報ページ生成システムであって、
前記行政機関が提供する各種の行政制度に関わる情報を、行政制度毎に付与される制度識別子と共に格納した行政制度情報データベースと、
前記ウェブページの閲覧者を他の閲覧者と識別するためのユーザＩＤであって、当該閲覧者が情報を閲覧した行政制度又は当該閲覧者が情報の閲覧を求める行政制度に対応する一又は複数の制度識別子に所定の処理を施すことによって生成されるユーザＩＤを、当該閲覧者を認証するための認証情報と共に格納したユーザＩＤデータベースと、
前記ウェブページを擁するウェブサイトへのアクセスを検知すると、当該アクセスを行う閲覧者にユーザＩＤの入力を促して前記ユーザＩＤデータベースの情報に基づく認証処理を実行し、入力された当該ユーザＩＤが承認された場合には、当該ユーザＩＤを生成する際に施した前記所定の処理を施す前の制度識別子を復元し、前記行政制度情報データベースの情報を基に、復元した当該制度識別子に対応する行政制度の情報を掲載したウェブページを自動生成して、当該ウェブページのデータを当該閲覧者の情報端末へ提供する情報処理部と、を備える、
行政制度情報ページ生成システム。
【請求項３】
前記情報処理部は、前記閲覧者がユーザＩＤを入力しない場合には、前記行政制度情報データベースの情報を基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に前記所定の処理を施すことによって生成したユーザＩＤを、当該閲覧者の情報端末へ提供する、
請求項２に記載の行政制度情報ページ生成システム。
【請求項４】
前記ユーザＩＤデータベースには、前記ユーザＩＤの発行日時に関する情報が更に格納されており、
前記情報処理部は、前記アクセスを行う閲覧者にユーザＩＤの入力を促して前記ユーザＩＤデータベースの情報に基づく認証処理を実行し、入力された当該ユーザＩＤが承認された場合には、入力された当該ユーザＩＤを生成する際に施した前記所定の処理を施す前の制度識別子を復元し、復元した当該制度識別子に対応する行政制度の情報であって、当該ユーザＩＤを発行してからの経過時間に対応する行政制度の情報を掲載したウェブページを自動生成して、当該ウェブページのデータを当該閲覧者の情報端末へ提供する、
請求項２または３に記載の行政制度情報ページ生成システム。
【請求項５】
前記ユーザＩＤデータベースには、前記閲覧者が情報を閲覧した行政制度又は当該閲覧者が情報の閲覧を求める行政制度に対応する一又は複数の制度識別子に、ユーザＩＤの発行日時をキーとして用いる前記所定の処理を施すことによって生成された前記ユーザＩＤが、当該ユーザＩＤの発行日時に関する情報と共に格納されており、
前記情報処理部は、前記アクセスを行う閲覧者にユーザＩＤの入力を促して前記ユーザＩＤデータベースの情報に基づく認証処理を実行し、入力された当該ユーザＩＤが承認された場合には、入力された当該ユーザＩＤの発行日時に関する情報を前記ユーザＩＤデータベースから取得し、入力された当該ユーザＩＤを生成する際に施した前記所定の処理を施す前の制度識別子を、前記ユーザＩＤデータベースから取得した当該ユーザＩＤの発行日時をキーとして用いて復元し、復元した当該制度識別子に対応する行政制度の情報を掲載したウェブページを自動生成して、当該ウェブページのデータを当該閲覧者の情報端末へ提供する、
請求項２から４の何れか一項に記載の行政制度情報ページ生成システム。
【請求項６】
前記行政制度情報データベースには、前記行政機関が提供する各種の行政制度に関わる情報が、当該情報が示す行政制度の内容と関連性のある単語からなる前記制度識別子を複数集めた制度識別子群と共に格納されており、
前記情報処理部は、前記閲覧者がユーザＩＤを入力しない場合には、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が閲覧を求める情報に対応する制度識別子を、当該閲覧者が閲覧した情報又は当該閲覧者が情報の閲覧を求める行政制度毎に、各行政制度に対応する各制度識別子群の中からそれぞれ任意に抽出し、抽出した一又は複数の制度識別子を組み合わせて前記ユーザＩＤを生成し、当該閲覧者の情報端末へ提供する、
請求項２から５の何れか一項に記載の行政制度情報ページ生成システム。
【請求項７】
行政機関が提供する行政制度に関わる情報を掲載したウェブページを擁するウェブサイトへアクセスする閲覧者を識別するユーザＩＤを発行するユーザＩＤ発行方法であって、
コンピュータが、
前記ウェブページを擁するウェブサイトへのアクセスを検知すると、
当該アクセスを行う閲覧者にユーザＩＤの入力を促し、
当該閲覧者がユーザＩＤを入力しない場合には、前記行政機関が提供する各種の行政制度に関わる情報を、行政制度毎に付与される制度識別子と共に格納した行政制度情報データベースの情報を基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に所定の処理を施すことによって生成した文字列をユーザＩＤとして発行し、当該閲覧者の情報端末へ通知する処理を実行する、
ユーザＩＤ発行方法。
【請求項８】
行政機関が提供する行政制度に関わる情報を掲載したウェブページを自動生成する行政制度情報ページ生成方法であって、
コンピュータが、
前記ウェブページを擁するウェブサイトへのアクセスを検知すると、
当該アクセスを行う閲覧者にユーザＩＤの入力を促して、前記ウェブページの閲覧者を他の閲覧者と識別するためのユーザＩＤであって、当該閲覧者が情報を閲覧した行政制度又は当該閲覧者が情報の閲覧を求める行政制度に対応する一又は複数の制度識別子に所定の処理を施すことによって生成されるユーザＩＤを、当該閲覧者を認証するための認証
情報と共に格納したユーザＩＤデータベースの情報に基づく認証処理を実行し、
入力された当該ユーザＩＤが承認された場合には、当該ユーザＩＤを生成する際に施した前記所定の処理を施す前の制度識別子を復元し、前記行政機関が提供する各種の行政制度に関わる情報を、行政制度毎に付与される制度識別子と共に格納した行政制度情報データベースの情報を基に、復元した当該制度識別子に対応する行政制度の情報を掲載したウェブページを自動生成して、当該ウェブページのデータを当該閲覧者の情報端末へ提供する処理を実行する、
行政制度情報ページ生成方法。
【請求項９】
行政機関が提供する行政制度に関わる情報を掲載したウェブページを擁するウェブサイトへアクセスする閲覧者を識別するユーザＩＤを発行するユーザＩＤ発行プログラムであって、
コンピュータに、
前記ウェブページを擁するウェブサイトへのアクセスを検知すると、
当該アクセスを行う閲覧者にユーザＩＤの入力を促し、
当該閲覧者がユーザＩＤを入力しない場合には、前記行政機関が提供する各種の行政制度に関わる情報を、行政制度毎に付与される制度識別子と共に格納した行政制度情報データベースの情報を基に、当該閲覧者が情報の閲覧を求める行政制度を掲載したウェブページを生成して、当該ウェブページのデータを当該閲覧者の情報端末へ提供すると共に、当該閲覧者が閲覧した情報又は当該閲覧者が閲覧を求める情報に対応する一又は複数の制度識別子に前記所定の処理を施すことによって生成した文字列をユーザＩＤとして発行し、当該閲覧者の情報端末へ通知する処理を実行させる、
ユーザＩＤ発行プログラム。
【請求項１０】
行政機関が提供する行政制度に関わる情報を掲載したウェブページを自動生成する行政制度情報ページ生成プログラムであって、
コンピュータに、
前記ウェブページを擁するウェブサイトへのアクセスを検知すると、
当該アクセスを行う閲覧者にユーザＩＤの入力を促して、前記ウェブページの閲覧者を他の閲覧者と識別するためのユーザＩＤであって、当該閲覧者が情報を閲覧した行政制度又は当該閲覧者が情報の閲覧を求める行政制度に対応する一又は複数の制度識別子に所定の処理を施すことによって生成されるユーザＩＤを、当該閲覧者を認証するための認証情報と共に格納したユーザＩＤデータベースの情報に基づく認証処理を実行し、
入力された当該ユーザＩＤが承認された場合には、当該ユーザＩＤを生成する際に施した前記所定の処理を施す前の制度識別子を復元し、前記行政機関が提供する各種の行政制度に関わる情報を、行政制度毎に付与される制度識別子と共に格納した行政制度情報データベースの情報を基に、復元した当該制度識別子に対応する行政制度の情報を掲載したウェブページを自動生成して、当該ウェブページのデータを当該閲覧者の情報端末へ提供する処理を実行させる、
行政制度情報ページ生成プログラム。
【発明の詳細な説明】
【技術分野】
【０００１】
本発明は、ユーザＩＤ発行システム、行政制度情報ページ生成システム、方法およびプログラムに関する。
【背景技術】
【０００２】
国や地方公共団体等の行政機関においては、インターネットのウェブサイトを通じた行政制度に関わる情報の提供が行われている（例えば、特許文献１を参照）。また、近年では、インターネットの普及に伴い、申請や証明書の請求といった各種の手続きが電子的に行われている（例えば、特許文献２−３を参照）。
【先行技術文献】
【特許文献】
【０００３】
【特許文献１】特開２００４−３３４６１５号公報
【特許文献２】特開２００３−１６２１５号公報
【特許文献３】特開２００４−２１３１５５号公報
【発明の概要】
【発明が解決しようとする課題】
【０００４】
国や地方公共団体等の行政機関が情報を提供しているウェブサイトには、当該行政機関が提供している各種の行政制度に関する情報が掲載されている。これらの情報の中には、当該ウェブサイトの閲覧者にとって役に立つ行政制度の情報と役に立たない行政制度の情報とが存在する。役に立たない行政制度の情報が存在すると、役に立つ行政制度の情報が目立たない。そこで、当該ウェブサイトの閲覧者を識別することにより、各閲覧者のニーズに合う行政制度の情報を掲載したウェブページを生成することが望まれる。しかしながら、国や地方公共団体等の行政機関が個人情報を管理することは、情報流出に対する懸念から、社会的に認められにくい傾向にある。
【０００５】
本発明は、このような課題に鑑みてなされたものであり、各閲覧者のニーズを閲覧者の個人情報に基づくことなく特定可能なユーザＩＤを発行するユーザＩＤ発行システム、方法およびプログラム、並びに、各閲覧者のニーズに合う情報を掲載したウェブページを、閲覧者の個人情報に基づくことなく自動生成可能な行政制度情報ページ生成システム、方法およびプログラムを提供することを課題とする。
【課題を解決するための手段】
【０００６】
上記課題を解決するため、本発明は、行政機関が提供する各種の行政制度に関わる情報を、行政制度毎に付与される制度識別子と共に格納した行政制度情報データベースを設けておき、ユーザＩＤを入力しない閲覧者からのアクセスを受けると、前記行政制度情報データベースの情報を基に、当該閲覧者が閲覧を要求する行政制度の情報を掲載したウェブページを生成して提供すると共に、当該閲覧者が情報を閲覧した行政制度又は当該閲覧者が情報の閲覧を求める行政制度に対応する一又は複数の制度識別子に所定の処理を施して生成した文字列をユーザＩＤとして発行することにした。
【０００７】
詳細には、行政機関が提供する行政制度に関わる情報を掲載したウェブページを擁するウェブサイトへアクセスする閲覧者を識別するユーザＩＤを発行するユーザＩＤ発行システムであって、前記行政機関が提供する各種の行政制度に関わる情報を、行政制度毎に付与される制度識別子と共に格納した行政制度情報データベースと、前記ウェブページを擁
するウェブサイトへのアクセスを検知すると、当該アクセスを行う閲覧者にユーザＩＤの入力を促し、当該閲覧者がユーザＩＤを入力しない場合には、前記行政制度情報データベースの情報を基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に所定の処理を施すことによって生成した文字列をユーザＩＤとして発行し、当該閲覧者の情報端末へ通知する情報処理部と、を備える。
【０００８】
このようにして発行したユーザＩＤであれば、管理者側で個人情報を管理しなくても、入力されたユーザＩＤから閲覧者のニーズを把握することが可能であるため、例えば、管理者が任意に付番する他律固定型のユーザＩＤを用いた場合に必要となる、当該ユーザＩＤと当該ユーザＩＤが付与された閲覧者のニーズに関する情報との相関関係に関する情報といった個人情報の管理が不要となる。
【０００９】
また、本発明は、行政機関が提供する行政制度に関わる情報を掲載したウェブページを自動生成する行政制度情報ページ生成システムであって、前記行政機関が提供する各種の行政制度に関わる情報を、行政制度毎に付与される制度識別子と共に格納した行政制度情報データベースと、前記ウェブページの閲覧者を他の閲覧者と識別するためのユーザＩＤであって、当該閲覧者が情報を閲覧した行政制度又は当該閲覧者が情報の閲覧を求める行政制度に対応する一又は複数の制度識別子に所定の処理を施すことによって生成されるユーザＩＤを、当該閲覧者を認証するための認証情報と共に格納したユーザＩＤデータベースと、前記ウェブページを擁するウェブサイトへのアクセスを検知すると、当該アクセスを行う閲覧者にユーザＩＤの入力を促して前記ユーザＩＤデータベースの情報に基づく認証処理を実行し、入力された当該ユーザＩＤが承認された場合には、当該ユーザＩＤを生成する際に施した前記所定の処理を施す前の制度識別子を復元し、前記行政制度情報データベースの情報を基に、復元した当該制度識別子に対応する行政制度の情報を掲載したウェブページを自動生成して、当該ウェブページのデータを当該閲覧者の情報端末へ提供する情報処理部と、を備えるものであってもよい。
【００１０】
このように構成されるシステムであれば、管理者側で個人情報を管理しなくても、入力されたユーザＩＤから閲覧者のニーズを把握することが可能であるため、例えば、管理者が任意に付番する他律固定型のユーザＩＤを用いた場合に必要となる、当該ユーザＩＤと当該ユーザＩＤが付与された閲覧者のニーズに関する情報との相関関係に関する情報といった個人情報を管理していなくても、当該閲覧者のニーズに合う情報を掲載したウェブページを生成することが可能である。
【００１１】
なお、前記情報処理部は、前記閲覧者がユーザＩＤを入力しない場合には、前記行政制度情報データベースの情報を基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に前記所定の処理を施すことによって生成したユーザＩＤを、当該閲覧者の情報端末へ提供するものであってもよい。
【００１２】
このようにしてユーザＩＤを発行し、次回にアクセスを受けた場合には当該ユーザＩＤに基づく認証処理を行うようにすることで、管理者側で個人情報を管理しなくても、当該閲覧者のニーズに合う情報を掲載したウェブページを生成することが可能である。
【００１３】
また、前記ユーザＩＤデータベースには、前記ユーザＩＤの発行日時に関する情報が更に格納されており、前記情報処理部は、前記アクセスを行う閲覧者にユーザＩＤの入力を促して前記ユーザＩＤデータベースの情報に基づく認証処理を実行し、入力された当該ユ
ーザＩＤが承認された場合には、入力された当該ユーザＩＤを生成する際に施した前記所定の処理を施す前の制度識別子を復元し、復元した当該制度識別子に対応する行政制度の情報であって、当該ユーザＩＤを発行してからの経過時間に対応する行政制度の情報を掲載したウェブページを自動生成して、当該ウェブページのデータを当該閲覧者の情報端末へ提供するものであってもよい。
【００１４】
このように構成されるシステムであれば、ユーザＩＤの発行日時という匿名性の高い非個人情報の管理を行うだけで、ユーザＩＤを付与してから一定時間が経過した場合であっても閲覧者のニーズに合う情報を掲載したウェブページを生成することが可能である。
【００１５】
また、前記ユーザＩＤデータベースには、前記閲覧者が情報を閲覧した行政制度又は当該閲覧者が情報の閲覧を求める行政制度に対応する一又は複数の制度識別子に、ユーザＩＤの発行日時をキーとして用いる前記所定の処理を施すことによって生成された前記ユーザＩＤが、当該ユーザＩＤの発行日時に関する情報と共に格納されており、前記情報処理部は、前記アクセスを行う閲覧者にユーザＩＤの入力を促して前記ユーザＩＤデータベースの情報に基づく認証処理を実行し、入力された当該ユーザＩＤが承認された場合には、入力された当該ユーザＩＤの発行日時に関する情報を前記ユーザＩＤデータベースから取得し、入力された当該ユーザＩＤを生成する際に施した前記所定の処理を施す前の制度識別子を、前記ユーザＩＤデータベースから取得した当該ユーザＩＤの発行日時をキーとして用いて復元し、復元した当該制度識別子に対応する行政制度の情報を掲載したウェブページを自動生成して、当該ウェブページのデータを当該閲覧者の情報端末へ提供するものであってもよい。
【００１６】
このように構成されるシステムであれば、ユーザＩＤの発行日時という匿名性の高い非個人情報に基づいて制度識別子を復元可能であると共に、ユーザＩＤを付与してから一定時間が経過した場合であっても閲覧者のニーズに合う情報を掲載したウェブページを生成することが可能である。
【００１７】
また、前記行政制度情報データベースには、前記行政機関が提供する各種の行政制度に関わる情報が、当該情報が示す行政制度の内容と関連性のある単語からなる前記制度識別子を複数集めた制度識別子群と共に格納されており、前記情報処理部は、前記閲覧者がユーザＩＤを入力しない場合には、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が閲覧を求める情報に対応する制度識別子を、当該閲覧者が閲覧した情報又は当該閲覧者が情報の閲覧を求める行政制度毎に、各行政制度に対応する各制度識別子群の中からそれぞれ任意に抽出し、抽出した一又は複数の制度識別子を組み合わせて前記ユーザＩＤを生成し、当該閲覧者の情報端末へ提供するものであってもよい。
【００１８】
このように構成されるシステムであれば、閲覧者が閲覧した情報又は閲覧者が閲覧を求める情報が示す内容と関連性のある単語でユーザＩＤが生成されるため、閲覧者に覚えやすいユーザＩＤを発行することが可能である。
【００１９】
なお、本発明は、方法あるいはコンピュータプログラムの側面から捉えることもできる。例えば、本発明は、行政機関が提供する行政制度に関わる情報を掲載したウェブページを擁するウェブサイトへアクセスする閲覧者を識別するユーザＩＤを発行するユーザＩＤ発行方法であって、コンピュータが、前記ウェブページを擁するウェブサイトへのアクセスを検知すると、当該アクセスを行う閲覧者にユーザＩＤの入力を促し、当該閲覧者がユーザＩＤを入力しない場合には、前記行政機関が提供する各種の行政制度に関わる情報を、行政制度毎に付与される制度識別子と共に格納した行政制度情報データベースの情報を
基に、当該閲覧者が閲覧を要求する行政制度の情報を掲載したウェブページを生成して、当該ウェブページのデータを当該閲覧者の情報端末へ提供すると共に、当該閲覧者が情報を閲覧した行政制度又は当該閲覧者が情報の閲覧を求める行政制度に対応する一又は複数の制度識別子に所定の処理を施すことによって生成した文字列をユーザＩＤとして発行し、当該閲覧者の情報端末へ通知する処理を実行するものであってもよい。
【発明の効果】
【００２０】
各閲覧者のニーズを閲覧者の個人情報に基づくことなく特定可能なユーザＩＤを発行するユーザＩＤ発行システム、方法およびプログラム、並びに、各閲覧者のニーズに合う情報を掲載したウェブページを、閲覧者の個人情報に基づくことなく自動生成可能な行政制度情報ページ生成システム、方法およびプログラムを提供することが可能となる。
【図面の簡単な説明】
【００２１】
【図１】ＵＭブリッジシステムのハードウェア構成図である。
【図２】ＵＭブリッジシステムの概念図である。
【図３】ＵＭマスターデータベースの一例を示した図である。
【図４】ＵＭ自治体別データベースの一例を示した図である。
【図５】ＵＭＩＤ管理データベースの一例を示した図である。
【図６】ＵＭブリッジシステムにおいて実行される処理のフローチャートを示した図である。
【図７】ＫＯＥ−ＩＤの発行処理の概念図である。
【図８】カスタマイズ処理のフローチャートを示した図である。
【図９】サブルーチンに係るカスタマイズ処理の概念図である。
【図１０】制度識別子列と各行政制度の制度識別子との関係を示した概念図である。
【図１１】ウェブページの自動生成の概念図である。
【図１２】第一変形例によって実現される処理の概念図である。
【図１３】第二変形例においてアクセス要求の送信元に表示される画面の一例である。
【発明を実施するための形態】
【００２２】
以下、本願発明の実施形態について説明する。以下に示す実施形態は、本願発明の一態様であり、本願発明の技術的範囲を限定するものではない。
【００２３】
図１は、本願発明に係る行政業務管理システムの一例であるＵＭ（Universal Menu：登録商標）ブリッジシステム１のハードウェア構成図である。ＵＭブリッジシステム１は、本願発明に係る行政業務管理システムの一例であるが、本願発明に係るユーザＩＤ発行システムが実行する処理に相当する処理も行う。よって、ＵＭブリッジシステム１は、本願発明に係るユーザＩＤ発行システムの一例として捉えることも可能である。ＵＭブリッジシステム１は、図１に示すように、ＣＰＵ２やメモリ３、入出力インターフェース４、ハードディスク５を備える汎用のコンピュータによって実現されるシステムであり、メモリ３にロードされたコンピュータプログラムをＣＰＵ２が実行することにより、ハードディスク５に格納されている情報の処理や入出力インターフェース４を介した情報の処理を行う。
【００２４】
以下、上記ＵＭブリッジシステム１が実現する情報処理の内容について説明する。図２は、ＵＭブリッジシステム１の概念図である。
【００２５】
ＵＭブリッジシステム１は、地方公共団体が提供する行政制度に関わる情報を掲載したウェブページを自動生成する。なお、本実施形態では、地方公共団体が提供する行政制度に関わる情報を提供する場合を例に説明するが、本実施形態に係るＵＭブリッジシステム
１は、国やその他の行政機関が提供する行政制度に関わる情報を提供する場合に適用してもよい。ＵＭブリッジシステム１によって自動生成された行政制度に関わる情報は、インターネットを介して市民に提供される。
【００２６】
ＵＭブリッジシステム１のハードディスク５には、次のようなデータベースが構築されている。すなわち、ＵＭブリッジシステム１のハードディスク５には、ＵＭマスターデータベース６、ＵＭ自治体別データベース７、及びＵＭＩＤ管理データベース８が構築されている。
【００２７】
図３は、ＵＭマスターデータベース６の一例を示した図である。ＵＭマスターデータベース６には、全国の各自治体が提供する行政制度の情報（本願では、このような情報をコンテンツあるいはメニューと呼ぶ場合がある）を列挙したテーブルが格納されている。ＵＭマスターデータベース６に格納されている行政制度に関わる情報は、根拠法が同じであるが故に何れの自治体においても一般的に提供されている行政制度に関わる情報、換言すると、全国の自治体で共通する行政制度に関わる情報である。図３の例では、子育てに関係する全国的に共通の行政制度として、出産届や母子健康手帳、子ども手当といった育児に関連する行政制度のメニューを例示列挙しているが、ＵＭマスターデータベース６には、その他の行政制度に関わる情報も格納されている。ＵＭマスターデータベース６には、このような各種の行政制度に関わる情報が、各情報を識別するためのメニューＩＤ（本願でいう制度識別子の一例である）と共に格納されている。
【００２８】
ところで、ＵＭマスターデータベース６には、後述する処理において情報面を構成する際に参照されるＵＭフラグがメニュー毎に付与されている。ＵＭフラグは、全国の自治体で共通する行政制度のメニュー群の中から、本ＵＭブリッジシステム１を利用する自治体（以下、このような自治体を「情報提供元自治体」と呼ぶことにする）が情報を提供しようとするメニューを抽出する際にＣＰＵ２が参照するフラグである。本実施形態において、ＵＭフラグは、例えば、各メニューに対応する行政制度の社会的な位置づけを示すＵＭフラグＧ（Government level）や、紹介すべき情報伝達媒体の種類を示すＵＭフラグＭ（Media level）、サービス対象者の種類を示すＵＭフラグＰ（Personal level）、サービ
スに関連する広告の種類を示すＵＭフラグＡ（Ad level）、サービスの提供に付随して作成される文書の保存形態を示すＵＭフラグＲ（Record level）などから構成されているが、これらのフラグのうち何れかが省略されていてもよいし、その他のフラグが更に付与されていてもよい。
【００２９】
例えば、ＵＭフラグＧには、対応する行政制度の提供が、全国共通で行われているものなのか、特定の都道府県単位で行われているものなのか、特定の市町村単位で行われているものなのか等を識別するための識別子が格納されている。
【００３０】
また、例えば、ＵＭフラグＰには、対応する行政サービスのサービス対象者が、子育てユーザなのか、シニアユーザなのか、就職活動中のユーザなのか等を識別するための識別子が格納されている。
【００３１】
図４は、ＵＭ自治体別データベース７の一例を示した図である。ＵＭ自治体別データベース７には、各自治体が独自に提供する行政制度に関わる情報を列挙したテーブルが格納されている。ＵＭ自治体別データベース７に格納されている行政制度に関わる情報は、情報提供元自治体が独自に提供している行政制度に関わる情報、換言すると、情報提供元自治体が独自に提供する行政制度に関わる情報である。図４の例では、子育てに関係する自治体独自の行政制度として、特定の自治体が独自に行っている子ども検診や、独自に発行している子育て手帳、独自に行っている子育て支援事業といった育児に関連する行政制度のメニューを例示列挙しているが、ＵＭ自治体別データベース７には、当該自治体が独自
に提供しているその他の行政制度に関わる情報も格納されている。ＵＭ自治体別データベース７には、このような各種の行政制度に関わる情報が、各行政制度を識別するためのメニューＩＤと共に格納されている。
【００３２】
図５は、ＵＭＩＤ管理データベース８の一例を示した図である。ＵＭＩＤ管理データベース８には、本ＵＭブリッジシステム１がウェブページを生成するウェブサイトにアクセスした各閲覧者を識別するための識別情報（以下、ＫＯＥ（Key Of Everything）−ＩＤ
といい、本発明でいうユーザＩＤに相当する）毎に、認証用のパスワードやスクランブル解除用のキー、訪問回数の情報が管理されている。
【００３３】
このように構成されているＵＭブリッジシステム１では、例えば、市民が使用するコンピュータ端末からインターネットを介して、情報提供元自治体が各種情報を提供しているウェブサイトへのアクセスを検知すると、次のような処理が実行される。図５は、本ＵＭブリッジシステム１において実行される処理のフローチャートを示した図である。
【００３４】
（ステップＳ１０１）ＣＰＵ２は、ウェブサイトへのアクセスを検知すると、アクセス要求の送信元の情報端末にＫＯＥ−ＩＤの入力画面を表示させる。ウェブサイトへのアクセス要求は、例えば、ウェブページのデータ送信を求めるコンピュータからインターネットを介して送られる。
【００３５】
（ステップＳ１０２）ＣＰＵ２は、閲覧者がＫＯＥ−ＩＤの入力意思が無いことを確認した場合（すなわち、ＫＯＥ−ＩＤ入力画面のスキップボタンや省略ボタン等が押された場合）、後述するサブルーチンのカスタマイズ処理（Ｓ２０１〜Ｓ２０３）を実行する。カスタマイズ処理は、閲覧者に対し、各種の質問を行うことにより、当該閲覧者に提供するウェブページの情報を最適化する処理である。
【００３６】
（ステップＳ１０３）ＣＰＵ２は、カスタマイズ処理によって選別した情報を掲載したウェブページの画面を生成し、アクセス要求の送信元の情報端末に表示させる。ウェブページの画面は、例えば、次のようにして生成される。
【００３７】
すなわち、ＣＰＵ２は、ウェブページの画面を生成するにあたり、ハードディスク５に構築されているＵＭマスターデータベース６にアクセスし、ＵＭマスターデータベース６に付与されているフラグを頼りに、カスタマイズ処理における選別結果に従った行政制度に関わる情報の抽出を行う。
【００３８】
例えば、上記カスタマイズ処理において、子育てに関連する情報が選別された場合、ＣＰＵ２は、本ＵＭブリッジシステム１を利用している行政機関が市民に提供している行政制度に関わる情報、換言すると、ＵＭマスターデータベース６に格納されている情報のうちＵＭフラグＧがオンになっている情報の中から、ＵＭフラグＭが「ウェブ」となっており、ＵＭフラグＰが「子育てユーザ」となっている情報を抽出する。また、ＣＰＵ２は、ＵＭマスターデータベース６から情報を抽出した後、ＵＭ自治体別データベース７にアクセスし、ＵＭマスターデータベース６の場合と同様、ＵＭ自治体別データベース７に付与されているフラグを頼りに、カスタマイズ処理における選別結果に従った行政制度に関わる情報の抽出を行う。
【００３９】
そして、ＣＰＵ２は、ＵＭマスターデータベース６およびＵＭ自治体別データベース７から情報を抽出した後、これらの情報を組み合わせて情報面を構成する。情報面を構成する処理は、例えば、各行政制度のメニュー項目に予め規定されている文書構造（あるいは、階層構造と捉えることもできる）に従って情報面をレイアウトすることによって実現してもよいし、その他のアルゴリズムに従って情報面をレイアウトするようにしてもよい。
文書構造に関する規定は、例えば、ＵＭマスターデータベース６やＵＭ自治体別データベース７と共にハードディスク５に格納しておき、ＣＰＵ２が参照可能なようにすることが望ましい。
【００４０】
ＣＰＵ２は、このように情報面を構成して生成したウェブページの画面のデータを、アクセス要求の送信元の情報端末へ送る。これにより、当該情報端末には、カスタマイズ処理によって選別された情報を掲載したウェブページの画面が表示される。
【００４１】
（ステップＳ１０４）ＣＰＵ２は、ウェブページの画面をアクセス要求の送信元の情報端末に表示させた後、ＫＯＥ−ＩＤ発行処理を実行することにより、新規の閲覧者である上記アクセス要求の送信元に対し、ＫＯＥ−ＩＤを発行する。ＣＰＵ２は、例えば、次のような処理を実行することにより、ＫＯＥ−ＩＤを発行する。
【００４２】
図７は、ＫＯＥ−ＩＤの発行処理の概念図である。ＣＰＵ２は、後述するカスタマイズ処理（Ｓ２０１〜Ｓ２０３）によって特定した、当該閲覧者にとって有益な行政制度の制度識別子を羅列した文字列（以下、制度識別子列という）に対し、スクランブル処理を行う。
【００４３】
例えば、後述するカスタマイズ処理（Ｓ２０１〜Ｓ２０３）により、当該閲覧者が、横浜市の子育てに関する情報であって、所定の年収および所定の子どもの年齢に合った内容の情報を求めていることを宣言していた場合、ＣＰＵ２は、閲覧者が情報を求める行政制度に対応する制度識別子を羅列した制度識別子列（例えば、市町村を識別するための識別子や情報のカテゴリを識別するための識別子、年収を識別するための識別子、子どもの年齢の数値を羅列した文字列等）に対し、スクランブル処理を行う。
【００４４】
スクランブル処理は、当該閲覧者の所在地の国コードや、アクセスしてきた日時を示すタイムスタンプに基づいて行っても良いし、当該閲覧者が利用している情報端末に固有の番号や当該端末の機種を特定する番号、当該閲覧者のスキルレベル、当該閲覧者が当該ウェブサイトを訪問した回数、ＫＯＥ−ＩＤの発行日時等をキーにし、これに基づいて行っても良い。スキルレベルは、例えば、当該閲覧者が作成したパスワードの文字列の長さや、パスワードの変更頻度、当該閲覧者が利用している情報端末の種類、機種等に基づいて特定してもよい。
【００４５】
なお、スクランブル処理を当該ウェブサイトへ訪問した回数に基づいて行う場合、閲覧者に対して付与されるＫＯＥ−ＩＤは毎回更新されることになる。
【００４６】
ＣＰＵ２は、上記スクランブル処理により生成した文字列をＫＯＥ−ＩＤとして発行し、発行したＫＯＥ−ＩＤの情報を上記アクセス要求の送信元へ送り、当該閲覧者にＫＯＥ−ＩＤを通知すると共に、ＫＯＥ−ＩＤの情報をＵＭＩＤ管理データベース８に格納する。また、ＣＰＵ２は、スクランブル解除に必要なキーの情報も、ＫＯＥ−ＩＤの情報と共にＵＭＩＤ管理データベース８に格納する。
【００４７】
（ステップＳ１０５）ＣＰＵ２は、ＫＯＥ−ＩＤを発行した後、アクセス要求の送信元の情報端末にパスワードの設定画面を表示させる。ＣＰＵ２は、当該情報端末からパスワードの情報が送られると、この情報をＵＭＩＤデータベース８に格納する。
【００４８】
（ステップＳ１０６）一方、ＣＰＵ２は、ステップＳ１０１の処理において、閲覧者がＫＯＥ−ＩＤの入力を行ったと判定した場合、ＫＯＥ−ＩＤから制度識別子列を復元する。制度識別子列の復元処理は、入力されたＫＯＥ−ＩＤおよびパスワードが、ＵＭＩＤデータベース８に予め格納されているＫＯＥ−ＩＤおよびパスワードと一致し、認証が適正
になされた場合に実行される。すなわち、ＣＰＵ２は、認証結果が適正だった場合、入力されたＫＯＥ−ＩＤに対し、ＵＭＩＤデータベース８に格納されているキーを基にしたスクランブル解除処理を行う。スクランブル解除処理は、上述したスクランブル処理の逆の処理であるため、ＫＯＥ−ＩＤのスクランブルを解除して得た文字列は制度識別子列を示すことになる。
【００４９】
（ステップＳ１０７）ＣＰＵ２は、ＫＯＥ−ＩＤのスクランブルを解除して得た制度識別子列に基づいて、当該閲覧者にとって有益な情報を各データベースから抽出し、抽出した情報を掲載したウェブページの画面を生成する。ウェブページの画面の生成処理は、上述したステップＳ１０３と同様、ＣＰＵ２がＵＭマスターデータベース６およびＵＭ自治体別データベース７にアクセスして各行政制度に関する情報を抽出することにより実現される。
【００５０】
すなわち、ＣＰＵ２は、ＵＭマスターデータベース６にアクセスし、ＵＭマスターデータベース６に付与されているフラグを頼りに、ＫＯＥ−ＩＤのスクランブルを解除して得た制度識別子列に従った行政制度に関わる情報の抽出を行う。また、ＣＰＵ２は、ＵＭ自治体別データベース７にアクセスし、ＵＭ自治体別データベース７に付与されているフラグを頼りに、ＫＯＥ−ＩＤのスクランブルを解除して得た制度識別子列に従った行政制度に関わる情報の抽出を行う。そして、各データベースから抽出した情報を組み合わせて情報面を構成する。ＣＰＵ２は、このように情報面を構成して生成したウェブページの画面のデータを、アクセス要求の送信元の情報端末へ送る。これにより、当該情報端末には、ＫＯＥ−ＩＤのスクランブルを解除して得た制度識別子列に従った情報を掲載したウェブページの画面が表示される。
【００５１】
（ステップＳ１０８）次に、ＣＰＵ２は、ＵＭＩＤ管理データベース８にアクセスし、当該閲覧者の訪問回数を照会する。
【００５２】
（ステップＳ１０９）次に、ＣＰＵ２は、後述するサブルーチンのカスタマイズ処理（Ｓ２０１〜Ｓ２０３）を実行する。この場合に実行されるカスタマイズ処理は、上述したステップＳ１０２の場合と異なり、当該ウェブサイトへの訪問回数が２回目以降の閲覧者に対する処理となるため、後述するカスタマイズ処理において行われる質問の内容は、ステップＳ１０２の場合よりも踏み込んだ内容となる。
【００５３】
（ステップＳ１１０）ＣＰＵ２は、ＫＯＥ−ＩＤのスクランブルを解除して得た制度識別子列に基づいて抽出した、当該閲覧者にとって有益な情報の中から、上述したステップＳ１０３の処理と同様、カスタマイズ処理によって更に選別した情報を掲載したウェブページの画面を生成し、アクセス要求の送信元の情報端末に表示させる。
【００５４】
すなわち、ＣＰＵ２は、ウェブページの画面を生成するにあたり、ハードディスク５に構築されているＵＭマスターデータベース６にアクセスし、ＵＭマスターデータベース６に付与されているＵＭフラグＰやその他の各種フラグを頼りに、ＫＯＥ−ＩＤのスクランブルを解除して得た制度識別子列に基づいて抽出した当該閲覧者にとって有益な行政制度の中から、カスタマイズ処理における選別結果に従った行政制度に関わる情報の抽出を行う。
【００５５】
また、ＣＰＵ２は、ＵＭマスターデータベース６から情報を抽出した後、ＵＭ自治体別データベース７にアクセスし、ＵＭマスターデータベース６の場合と同様、ＵＭ自治体別データベース７に付与されているＵＭフラグＰやその他の各種フラグを頼りに、ＫＯＥ−ＩＤのスクランブルを解除して得た制度識別子列に基づいて抽出した当該閲覧者にとって有益な情報の中から、カスタマイズ処理における選別結果に従った行政制度に関わる情報
の抽出を行う。
【００５６】
そして、ＣＰＵ２は、ＵＭマスターデータベース６およびＵＭ自治体別データベース７から情報を抽出した後、これらの情報を組み合わせて情報面を構成する。
【００５７】
ＣＰＵ２は、このようにして情報面を構成して生成したウェブページの画面のデータを、アクセス要求の送信元の情報端末へ送る。これにより、当該情報端末には、カスタマイズ処理によって選別された情報を掲載したウェブページの画面が表示される。
【００５８】
＜サブルーチンの説明＞
以下、上述したカスタマイズ処理の詳細について説明する。図８は、本ＵＭブリッジシステム１において実行されるカスタマイズ処理のフローチャートを示した図である。また、図９は、カスタマイズ処理の概念図である。
【００５９】
（ステップＳ２０１）ＣＰＵ２は、閲覧者の情報端末に対し、当該閲覧者が求めている情報の選別に必要な情報を当該閲覧者から引き出すための質問画面のデータを送る。閲覧者の情報端末に表示される質問は、ハードディスク５に予め格納されている質問に関するデータに基づくものであり、例えば、図９に示すように、ウェブサイトへの訪問回数や、既に得た質問の回答結果に応じて質問順序等が予め規定された質問である。
【００６０】
（ステップＳ２０２）ＣＰＵ２は、閲覧者が回答意思の無いことを確認した場合（すなわち、回答入力画面のスキップボタンや省略ボタン等が押された場合）、本サブルーチン（Ｓ２０１〜Ｓ２０３）を終了し、上述したメインの処理フロー（Ｓ１０１〜Ｓ１１０）の処理に戻る。
【００６１】
（Ｓ２０３）一方、ＣＰＵ２は、ステップＳ２０１の処理において、閲覧者が回答の入力を行ったと判定した場合、当該閲覧者に対して提供候補に挙がっている情報の中から、回答内容に沿った情報の抽出を行う。そして、ＣＰＵ２は、再びステップＳ２０１の処理を実行する。
【００６２】
以上、一連の処理（Ｓ１０１〜Ｓ１１０，Ｓ２０１〜Ｓ２０３）が実行されることにより、閲覧者のニーズに合う情報を掲載したウェブページが、閲覧者の個人情報に基づくことなく、各閲覧者に付与されたＫＯＥ−ＩＤに基づいて自動生成される。また、図１０に示すように、閲覧者にとって有益な行政制度の制度識別子を並べた制度識別子列が、ＵＭマスターデータベース６やＵＭ自治体別データベース７に各行政制度の情報と共に格納されている制度識別子から生成される。
【００６３】
図１１は、本ＵＭブリッジシステム１によるウェブページの自動生成の概念図である。以下、本ＵＭブリッジシステム１によって実現されるウェブページの自動生成の処理内容を、図１１に示す例に沿って説明する。
【００６４】
例えば、ＡＢＣ市であることを示す制度識別子が「０１」と定義され、子育て中であることを示す制度識別子が「０６」と定義されているものとする。また、ＡＢＣ市で１２歳の子供の子育てに関する情報を求めているＡ閲覧者と、ＡＢＣ市で４歳の子供の子育てに関する情報を求めているＢ閲覧者が居るものとする。この場合、Ａ閲覧者のＫＯＥ−ＩＤをスクランブル解除すると、「０１０６１２」という文字列が得られる。また、Ｂ閲覧者のＫＯＥ−ＩＤをスクランブル解除すると、「０１０６０４」という文字列が、上述したステップＳ１０６の処理において得られることになる。
【００６５】
本ＵＭブリッジシステム１は、Ａ閲覧者によるアクセスを受けた場合、スクランブル解
除を行うことによって復元した上記文字列「０１０６１２」に基づき、Ａ閲覧者に最適な情報を掲載したウェブページ、すなわち、ＡＢＣ市の１２歳の子供のみを対象とした行政制度に関する情報を掲載したウェブページを自動生成する。
【００６６】
また、本ＵＭブリッジシステム１は、Ｂ閲覧者によるアクセスを受けた場合、スクランブル解除を行うことにより特定した上記文字列「０１０６０４」に基づき、Ｂ閲覧者に最適な情報を掲載したウェブページ、すなわち、ＡＢＣ市の４歳の子供のみを対象とした行政制度に関する情報を掲載したウェブページを自動生成する。
【００６７】
このように、本ＵＭブリッジシステム１によれば、システムの管理者によって付与された管理番号（他律固定型付番）に基づいて管理されるような閲覧者の個人情報に基づくことなく、各閲覧者が自ら各種の宣言（回答）を行うことで決定される識別情報（自立可変型付番）のみで、各閲覧者のニーズに合う情報を抽出している（Automatic Identifier）。そして、当該閲覧者のニーズに合う情報を掲載したウェブページの生成が実現されるので、各閲覧者のニーズに合う情報を掲載したウェブページを、閲覧者の個人情報に基づくことなく生成することが可能である。
【００６８】
また、本ＵＭブリッジシステム１によれば、表示される質問に対して閲覧者が回答を重ねていくことにより、表示されるウェブページが当該閲覧者に合った情報となるようにカスタマイズできる（Automatic Customize）。
【００６９】
＜処理フローの第一変形例＞
なお、上記ＵＭブリッジシステム１が実行する処理は、例えば、以下のように変形してもよい。例えば、上記ＵＭブリッジシステム１は、閲覧者が入力したＫＯＥ−ＩＤのスクランブルを解除することにより復元した制度識別子列に基づき、当該閲覧者に最適な情報を掲載したウェブページを生成するにあたり、当該ＫＯＥ−ＩＤを生成してからの経過年数等を勘案したウェブページを生成するようにしてもよい。この場合、ＵＭＩＤ管理データベース８には、ＫＯＥ−ＩＤの発行日時を保存しておくことが望ましい。
【００７０】
本変形例によって実現される処理の概念を図１２に示す。上記ＵＭブリッジシステム１のＣＰＵ２は、例えば、上述したステップＳ１０７の処理を実行するにあたり、ステップＳ１０１において入力されたＫＯＥ−ＩＤが発行されてから現在までの経過年数を算出する。そして、ＣＰＵ２は、ＫＯＥ−ＩＤのスクランブルを解除して復元した制度識別子列から、当該閲覧者にとって有益な情報を抽出する際、算出した経過年数を勘案した情報を抽出する。
【００７１】
例えば、図１２に示すように、ＫＯＥ−ＩＤが、閲覧者が妊娠中に発行されてから５〜６年経過したものであり、ＫＯＥ−ＩＤのスクランブルを解除した場合に得られる制度識別子列の中に、妊娠・出産に関する情報の制度識別子が含まれている場合、ＣＰＵ２は、上述したステップＳ１０７の処理において情報を抽出する際、妊娠・出産してから５〜６年経過後に必要とされる情報（例えば、小学校に関連する情報など）を抽出する。
【００７２】
また、例えば、図１２に示すように、ＫＯＥ−ＩＤが、閲覧者が妊娠中に発行されてから２５年程度経過したものであり、ＫＯＥ−ＩＤのスクランブルを解除した場合に得られる制度識別子列の中に、妊娠・出産に関する情報の制度識別子が含まれている場合、ＣＰＵ２は、上述したステップＳ１０７の処理において情報を抽出する際、妊娠・出産してから２５年経過後に必要とされる情報（例えば、定年退職者向けの雇用情報といった高齢者向けの情報など）を抽出する。
【００７３】
本変形例によれば、一旦発行されたＫＯＥ−ＩＤに基づくウェブページへのアクセスが
長い年月に渡って行われた場合であっても、時間の経過に合わせてウェブページの内容を変化させることができるため、上記ＵＭブリッジシステム１によって自動生成されるウェブページの内容を、利用者の加齢に合わせて自動更新させることができる（Automatic Growing（Aging））。なお、ＫＯＥ−ＩＤのスクランブルを行った際のキーが、ＫＯＥ−ＩＤの発行日時であれば、スクランブル解除のために保存したＫＯＥ−ＩＤの発行日時の情報を、ＫＯＥ−ＩＤを生成してからの経過年数の算出に利用することもできるので、ＫＯＥ−ＩＤの発行日時という匿名性の高い非個人情報から、閲覧者のニーズに合った情報を提供することが可能である。
【００７４】
＜処理フローの第二変形例＞
また、上記ＵＭブリッジシステム１が実行する処理は、例えば、以下のように変形してもよい。例えば、上記ＵＭブリッジシステム１は、閲覧を求める情報のカテゴリを閲覧者に選択させ、選択された情報のカテゴリに基づいてＫＯＥ−ＩＤを発行するようにしてもよい。このような処理を実行する場合に、ＵＭブリッジシステム１がアクセス要求の送信元に表示させるウェブページの画面の一例を、図１３に示す。図１３に示す各情報カテゴリには、他の情報カテゴリと識別するための制度識別子が設定されているものとする。
【００７５】
ＣＰＵ２は、上述したステップＳ１０１において閲覧者がＫＯＥ−ＩＤの入力意思が無いことを確認した場合、例えば、図１３に示すような画面を生成し、アクセス要求の送信元の情報端末に表示させる。そして、閲覧者が任意の情報カテゴリを選択し、パスワードを入力した後に「登録ボタン」を押すと、ＣＰＵ２は、選択された情報カテゴリに予め付与している制度識別子を羅列した文字列に対し、スクランブル処理を行う。ＣＰＵ２は、当該スクランブル処理により生成した文字列をＫＯＥ−ＩＤとして発行し、発行したＫＯＥ−ＩＤの情報を、閲覧者が選択した情報カテゴリに属する情報を組み合わせて生成したウェブページの画面のデータと共に、アクセス要求の送信元へ送る。
【００７６】
本変形例に係るＵＭブリッジシステム１であっても、各閲覧者のニーズに合う情報を掲載したウェブページを、閲覧者の個人情報に基づくことなく生成することが可能である。
【００７７】
＜処理フローの第三変形例＞
また、上記ＵＭブリッジシステム１が実行する処理は、例えば、以下のように変形してもよい。例えば、上記ＵＭブリッジシステム１が提供する情報には、当該情報が示す内容と関連性のある単語からなる制度識別子を複数集めた制度識別子群が付与されてデータベースに格納されており、上記ＵＭブリッジシステム１は、ＫＯＥ−ＩＤの発行にあたり、これらの単語を組み合わせてＫＯＥ−ＩＤを生成するようにしてもよい。
【００７８】
すなわち、例えば、横浜市の情報を求めている場合、横浜市と関連性のある単語として、「横浜」、「ハマ」、「港」、「中華街」、「みなとみらい」等で構成される制度識別子群を挙げることができる。また、例えば、閲覧者が子育ての情報を求めている場合、子育てと関連性のある単語として、「ベビー」、「育児」等で構成される制度識別子群を挙げることができる。
【００７９】
本変形例に係るＵＭブリッジシステム１は、このような制度識別子群が、ＵＭマスターデータベース６やＵＭ自治体別データベース７に各行政制度の情報等と対応付けて予め格納されている。そして、ＣＰＵ２は、上述したＫＯＥ−ＩＤの発行処理において、閲覧者が求める情報に付与されている制度識別子群の中から任意の制度識別子を抽出し、抽出した制度識別子を組み合わせてＫＯＥ−ＩＤを生成する。
【００８０】
例えば、閲覧者が横浜市の子育てに関する情報を求めている場合、ＣＰＵ２は、横浜市に対応する制度識別子群の中から任意の制度識別子を抽出し、子育てに対応する制度識別
子群の中から任意の制度識別子を抽出する。そして、抽出した制度識別子を組み合わせてＫＯＥ−ＩＤを生成する。例えば、閲覧者が横浜市の子育てに関する情報を求めている場合において、ＣＰＵ２が、横浜市に対応する制度識別子群の中から「みなとみらい」を抽出し、子育てに対応する制度識別子群の中から「ベビー」を抽出した場合、生成されるＫＯＥ−ＩＤは「みなとみらいベビー」となる。
【００８１】
本変形例に係るＵＭブリッジシステム１であれば、閲覧者が閲覧した情報又は閲覧者が閲覧を求める情報が示す内容と関連性のある単語でＫＯＥ−ＩＤが生成されるため、閲覧者に覚えやすいＫＯＥ−ＩＤを発行することが可能である。
【００８２】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００８３】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク（ブルーレイは登録商標）、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【００８４】
１・・ＵＭブリッジシステム，２・・ＣＰＵ，３・・メモリ，４・・入出力インターフェース，５・・ハードディスク，６・・ＵＭマスターデータベース，７・・ＵＭ自治体別データベース，８・・ＵＭＩＤ管理データベース
【図１】
0005640235.tif 000002
【図２】
0005640235.tif 000003
【図３】
0005640235.tif 000004
【図４】
0005640235.tif 000005
【図５】
0005640235.tif 000006
【図６】
0005640235.tif 000007
【図７】
0005640235.tif 000008
【図８】
0005640235.tif 000009
【図９】
0005640235.tif 000010
【図１０】
0005640235.tif 000011
【図１１】
0005640235.tif 000012
【図１２】
0005640235.tif 000013
【図１３】
0005640235.tif 000014